(57)【特許請求の範囲】
【請求項１】
メッセンジャワイヤ部と、該メッセンジャワイヤ部に懸吊された光ケーブル本体と、前記メッセンジャワイヤ部と前記光ケーブル本体とをつなぐ連結部とを備えた自己支持型架空光ケーブルであって、
前記メッセンジャワイヤ部は、繊維強化プラスチックからなるメッセンジャワイヤと、該メッセンジャワイヤを被覆する第１の被覆層と、該第１の被覆層を被覆する第２の被覆層とから構成され、
前記第１の被覆層はカーボンブラックが添加されないポリエチレンからなり、
前記第２の被覆層はカーボンブラックが添加されたポリエチレンからなることを特徴とする自己支持型架空光ケーブル。
【請求項２】
請求項１記載の自己支持型架空光ケーブルの第２の被覆層に、直接、巻付グリップを装着することを特徴とする自己支持型架空光ケーブルの端末引留め構造。
【発明の詳細な説明】
【０００１】
【発明の属する技術分野】
本発明は、自己支持型架空光ケーブルおよびその端末引留め構造に関するものである。
【０００２】
【従来の技術】
図３は、従来の自己支持型架空光ケーブルを示す断面図である。
この自己支持型架空光ケーブル（以下、「ＳＳＤ型光ケーブル」と略す。）は、メッセンジャワイヤ部１と、メッセンジャワイヤ部１に懸吊された光ケーブル本体２と、メッセンジャワイヤ部１とケーブル本体２とをつなぐ連結部３とを備えている。
メッセンジャワイヤ部１は、ガラス繊維、アラミド繊維などの繊維を用いた繊維強化プラスチックからなるメッセンジャワイヤ４と、これを被覆するポリエチレンなどからなる被覆層５とから構成されている。
光ケーブル本体２は、光ケーブルコア６と、この光ケーブルコア６の周上に形成された押え巻き層１０と、この押え巻き層１０を被覆するポリエチレンなどからなるシース１１とから概略構成されるスロット型光ケーブルである。また、光ケーブルコア６は、スロット７と、このスロット７の中心に埋設されたテンションメンバ８と、スロット７の外周に形成された複数条の螺旋状のスロット溝９、９、…に収容された光ファイバテープ心線２１の積層体（以下、「光テープ心線積層体」と記す。）２２とから構成されている。
また、メッセンジャワイヤ部１の被覆層５と連結部３と光ケーブル本体２のシース１１とは連続した一体構造となっている。さらに、光ケーブル本体２は、メッセンジャワイヤ部１に対して弛んで蛇行した状態で連結部３によって懸吊されている。
【０００３】
図４は、従来のＳＳＤ型光ケーブルのメッセンジャワイヤ部の端末引留め構造を示す概略図である。
ＳＳＤ型光ケーブルのメッセンジャワイヤ部の端末引留め方法は、以下のように行われる。まず、メッセンジャワイヤ部１の端末において、被覆層５が除去されて露出したメッセンジャワイヤ４の露出部分上にエポキシパテ１２が塗布される。次に、エポキシパテ１２の一部の上から被覆層５の上にわたって熱収縮テープ１３が巻き付けられ、加熱によりこの熱収縮テープ１３が収縮されてエポキシパテ１２の一部と被覆層５に密着される。次に、メッセンジャワイヤ４の先端に巻付グリップ１４が装着され、被覆用テープ１５が巻付グリップ１４の上から熱収縮テープ１３の上にわたって巻き付けられて、端末引留め構造が形成される。
【０００４】
【発明が解決しようとする課題】
ところで、ＳＳＤ型光ケーブルのメッセンジャワイヤ部１の端末引留めの際、メッセンジャワイヤ４を形成する繊維強化プラスチックの表面に直接、巻付グリップ１４を装着すると、繊維強化プラスチックの表面の繊維に損傷を与えることがある。そこで、図４に示したように、メッセンジャワイヤ４の表面に何らかの被覆層を形成し、この上に巻付グリップ１４が装着されている。このメッセンジャワイヤ部１の端末引留め構造では、敷設時に工程が多いという問題があった。
また、メッセンジャワイヤ４の被覆層５を形成するポリエチレンは、メッセンジャワイヤ４を形成する繊維強化プラスチックの耐候性を向上させるために、カーボンブラックを含有している。しかしながら、カーボンブラックを添加したポリエチレンを繊維強化プラスチックに被覆すると、ポリエチレンと繊維強化プラスチックとの密着性が悪い。したがって、このままでは、メッセンジャワイヤ４の被覆層５の上に巻付グリップ１４を巻き付けることができないという問題があった。
【０００５】
本発明は前記事情に鑑みてなされたもので、メッセンジャワイヤの端末引留め工程を簡略化することができる自己支持型架空光ケーブルおよびその端末引留め構造を提供することを課題とする。
【０００６】
【課題を解決するための手段】
前記課題は、メッセンジャワイヤ部と、該メッセンジャワイヤ部に懸吊された光ケーブル本体と、前記メッセンジャワイヤ部と前記光ケーブル本体とをつなぐ連結部とを備えた自己支持型架空光ケーブルであって、前記メッセンジャワイヤ部は、繊維強化プラスチックからなるメッセンジャワイヤと、該メッセンジャワイヤを被覆する第１の被覆層と、該第１の被覆層を被覆する第２の被覆層とから構成され、前記第１の被覆層はカーボンブラックが添加されないポリエチレンからなり、前記第２の被覆層はカーボンブラックが添加されたポリエチレンからなる自己支持型架空光ケーブルによって解決できる。
また、前記自己支持型架空光ケーブルの第２の被覆層に、直接、巻付グリップを装着する自己支持型架空光ケーブルの端末引留め構造によって解決できる。
【０００７】
【発明の実施の形態】
以下、本発明を詳しく説明する。
図１は、本発明のＳＳＤ型光ケーブルの一例を示す断面図である。
また、図２は、本発明のＳＳＤ型光ケーブルのメッセンジャワイヤ部の端末引留め構造の一例を示す概略図である。
この例のＳＳＤ型光ケーブルは、メッセンジャワイヤ部３１と、メッセンジャワイヤ部３１に懸吊された光ケーブル本体３２と、メッセンジャワイヤ部３１と光ケーブル本体３２とをつなぐ連結部３３とを備えている。
メッセンジャワイヤ部３１は、メッセンジャワイヤ３４と、これを被覆する被覆層３５とから構成されている。
光ケーブル本体３２は、ケーブルコア３６と、このケーブルコア３６の周上に形成された押え巻き層４０と、押え巻き層４０の外周に接するように配されたリップコード４２と、これらを被覆するポリエチレンなどからなるシース４１とから概略構成されるＳＺスロット型光ケーブルである。また、光ケーブルコア３６は、ＳＺスロット３７と、このＳＺスロット３７の中心に埋設されたテンションメンバ３８と、ＳＺスロット３７の外周に形成された複数条の螺旋状のスロット溝３９、３９、…に収容された光ファイバテープ心線５１の積層体、光テープ心線積層体５２とから構成されている。
また、メッセンジャワイヤ部３１の被覆層３５と連結部３３と光ケーブル本体３２のシース４１とは連続した一体構造となっている。さらに、光ケーブル本体３２は、メッセンジャワイヤ部３１に対して弛んで蛇行した状態で連結部３３によって懸吊されている。
【０００８】
メッセンジャワイヤ３４は外径６．５ｍｍ程度で、アラミド繊維強化プラスチックやガラス繊維強化プラスチックなどのＦＲＰで形成されており、ＳＳＤ型光ケーブル敷設時に光ケーブル本体３２を懸吊する支持線である。また、メッセンジャワイヤ３４を形成するＦＲＰは、軽量、高弾性率、高強度を有する絶縁材料である。本発明で用いられるＦＲＰは、縦弾性率（ヤング率）が大きいものが好ましい。
ＦＲＰは、金属と比較して比重が小さいため、ＳＳＤ型光ケーブルの軽量化を図ることができるので、ＳＳＤ型光ケーブルの弛度を許容範囲内とすることができる。また、ＦＲＰは絶縁体（無誘導な材料）であるから、電力ケーブルやメタル通信ケーブルとＳＳＤ型光ケーブルを併設しても、メッセンジャワイヤ３４に誘導電流が生じることがない。また、ＳＳＤ型光ケーブルが敷設される際、または架線されている状態では、ＳＳＤ型光ケーブルには、風圧による張力がその軸方向に加わえられるため、メッセンジャワイヤ３４としては、縦弾性率の大きい材料を用いることが好ましい。縦弾性率の大きい材料を用いることにより、ＳＳＤ型光ケーブルの破断、またはＳＳＤ型光ケーブル内に収容されている光ケーブルなどが破断することを防止することができる。
【０００９】
また、メッセンジャワイヤ３４を被覆する被覆層３５は、第１の被覆層３５ａと第２の被覆層３５ｂで構成されている。第１の被覆層３５ａは外径８ｍｍ程度で、カーボンブラックを含有しない無色のポリエチレンで形成されており、第２の被覆層３５ｂは外径１０ｍｍ程度で、カーボンブラックを含有する黒色のポリエチレンで形成されている。本発明のＳＳＤ型光ケーブルにあっては、ポリエチレンは直鎖状低密度ポリエチレンを用いることが好ましい。
このように、メッセンジャワイヤ３４を無色の直鎖状低密度ポリエチレンからなる第１の被覆層３５ａで被覆することにより、メッセンジャワイヤ３４と第１の被覆層３５ａとが強固に密着する。さらに、第１の被覆層３５ａをカーボンブラックを含有する黒色の直鎖状低密度ポリエチレンからなる第２の被覆層３５ｂで被覆することにより、第２の被覆層３５ｂに直接、後述する巻付グリップを巻き付けることができる。また、カーボンブラックを含有する黒色の直鎖状低密度ポリエチレンからなる第２の被覆層３５ｂでメッセンジャワイヤ３４を被覆することにより、メッセンジャワイヤ３４が紫外線に曝されるのを防止し、結果として、メッセンジャワイヤ部３１の耐候性を向上することができる。
【００１０】
ＳＺスロット３７は、ポリエチレンなどで形成されており、そのスロット溝３９が金属素線を撚り合せて撚線とする際に周知のＳＺ撚りをするのと同様に、捩じる方向がＳ方向とＺ方向とに交互に繰り返されて形成されている。ＳＺスロット３７のＳＺ反転ピッチは、１２５〜３００ｍｍが好ましい。
また、ＳＺスロット３７は、ＳＺスロット３７全体に収納する光ファイバの心数に応じて、１つのスロット溝３９内に収納する光ファイバテープ心線５１の枚数およびスロット溝３９の数が決められる。ＳＳＤ型光ケーブルの高密度化を達成するためには、スロット溝３９の数は多い方が望ましい。好ましくは、スロット溝３９の数は５〜１０であり、特に好ましくは３〜６である。
光ケーブル本体３２をＳＺスロット型光ケーブルとすることにより、ＳＳＤ型光ケーブルの後分岐性を向上することができる。
【００１１】
テンションメンバ３８は外径３．５ｍｍ程度で、アラミド繊維強化プラスチックやガラス繊維強化プラスチックなどのＦＲＰで形成されている。また、テンションメンバ３８を形成するＦＲＰは、軽量、高弾性率、高強度を有する絶縁材料である。本発明で用いられるＦＲＰは、横弾性率が大きいものが好ましい。
ＳＳＤ型光ケーブルが敷設される際、または架線されている状態では、光ケーブル本体３２には捩り方向の力が加わえられるため、テンションメンバ３８としては、横弾性率の大きいＦＲＰを用いることが好ましい。横弾性率の大きいＦＲＰを用いることにより、捩れなどによるＳＳＤ型光ケーブルの破断、またはＳＳＤ型光ケーブル内に収容されている光ケーブルなどが破断することを防止することができる。また、ＦＲＰは、金属と比較して比重が小さいため、ＳＳＤ型光ケーブルの軽量化を図ることができる。また、ＦＲＰは絶縁体（無誘導な材料）であるから、電力ケーブルやメタル通信ケーブルとＳＳＤ型光ケーブルを併設しても、テンションメンバ３８に誘導電流が生じることがない。また、テンションメンバ３８は、その外周に押出被覆された樹脂の熱を逃がして、樹脂を押出成形後に冷却する役割を果たすから、テンションメンバ３８は熱容量の大きいＦＲＰが好ましく、ＦＲＰは金属線よりも熱容量が大きいので、冷却効果は大きい。
【００１２】
ところで、この例のＳＳＤ型光ケーブルの後分岐は、リップコード４２を取り出して引っ張り出すことにより行う。このようにすれば、シース４１に裂け目が生じ、かつ押え巻き層４０が露出するため、ＳＳＤ型光ケーブルの後分岐を効率よく行うことができる。
【００１３】
このようなＳＳＤ型光ケーブルは、伝送性能、温度特性に優れ、軽量で、電磁誘導が発生しないため信頼性に優れている。また、軽量であるため、敷設性に優れている。さらに、押出成形により、メッセンジャワイヤ部、連結部および光ケーブル本体を一体に成形することができるので、製造コストを低減することができる。
【００１４】
また、本発明のＳＳＤ型光ケーブルのメッセンジャワイヤ部３１の端末引留め構造は、以下のように形成される。まず、メッセンジャワイヤ部３１の端末において、被覆層３５が除去されて露出したメッセンジャワイヤ３４を覆い、被覆層３５の上に直接、巻付グリップ４４が巻き付けられる。次に、巻付グリップ４４の上から被覆層３５にわたって、被覆用テープ４５が巻き付けられて、端末引留め構造が形成される。
また、巻付グリップ４４は亜鉛めっき鋼撚線やアルミ覆鋼撚線などで形成されており、メッセンジャワイヤ３４の端末を把持するものである。
このように被覆層３５の上に巻付グリップ４４を巻き付けることにより、ＳＳＤ型光ケーブルの敷設時に、メッセンジャワイヤの端末引留め工程を簡略化することができるため、コストを削減することができる。
【００１５】
【発明の効果】
以上説明したように、本発明の自己支持型架空光ケーブルは、メッセンジャワイヤ部と、該メッセンジャワイヤ部に懸吊された光ケーブル本体と、前記メッセンジャワイヤ部と前記光ケーブル本体とをつなぐ連結部とを備えた自己支持型架空光ケーブルであって、前記メッセンジャワイヤ部は、繊維強化プラスチックからなるメッセンジャワイヤと、該メッセンジャワイヤを被覆する第１の被覆層と、該第１の被覆層を被覆する第２の被覆層とから構成され、前記第１の被覆層はカーボンブラックが添加されないポリエチレンからなり、前記第２の被覆層はカーボンブラックが添加されたポリエチレンからなるから、メッセンジャワイヤと第１の被覆層とが強固に密着し、第２の被覆層に直接、巻付グリップを巻き付けることができる。また、メッセンジャワイヤ部の耐候性を向上することができる。
また、自己支持型架空光ケーブルの端末引留め構造は、前記自己支持型架空光ケーブルの第２の被覆層に、直接、巻付グリップを装着するから、メッセンジャワイヤの端末引留め工程を簡略化することができるため、コストを削減することができる。
【図面の簡単な説明】
【図１】本発明の自己支持型架空光ケーブルの一例を示す断面図である。
【図２】本発明のＳＳＤ型光ケーブルのメッセンジャワイヤ部の端末引留め構造を示す概略図である。
【図３】従来の自己支持型架空光ケーブルを示す断面図である。
【図４】従来のＳＳＤ型光ケーブルのメッセンジャワイヤ部の端末引留め構造を示す概略図である。
【符号の説明】
３１・・・メッセンジャワイヤ部、３２・・・ケーブル本体、３３・・・連結部、３４・・・メッセンジャワイヤ、３５・・・被覆層、３５ａ・・・第１の被覆層、３５ｂ・・・第２の被覆層、３６・・・ケーブルコア、３７・・・ＳＺスロット、３８・・・テンションメンバ、３９・・・スロット溝、４０・・・押え巻き層、４１・・・シース、４２・・・テンションメンバ、４４・・・巻き付けグリップ、４５・・・被覆用テープ
【図１】
0004593027.tif 000002
【図２】
0004593027.tif 000003
【図３】
0004593027.tif 000004
【図４】
0004593027.tif 000005